(57)【要約】      （修正有）【課題】利便性の向上を図った錠前装置を提供する。【解決手段】錠前装置１Ａは、シリンダ錠に差し込まれる差込み部２０を有する個別鍵２Ａと、該個別鍵を回転操作可能な共通操作部３Ａと、を備え、個別鍵は、差込み部の差込み方向Ｚに交差する面方向に延在する鍔部２１を有し、共通操作部は、鍔部に対向する当接部３１０を有し、鍔部には、係合受け部２１２が設けられ、当接部には、係合受け部に係合することで個別鍵を回転可能とする係合部３１４が設けられ、差込み部はシリンダ錠の種別毎に異なり、鍔部はシリンダ錠の種別に関わらず共通である。【選択図】図１
0003221805.tif 000002
【実用新案登録請求の範囲】
【請求項１】
シリンダ錠に差し込まれる差込み部を有する個別鍵と、
該個別鍵を回転操作可能な共通操作部と、を備え、
前記個別鍵は、前記差込み部の差込み方向に交差する面方向に延在する鍔部を有し、
前記共通操作部は、前記鍔部に当接する当接部を有し、
前記鍔部には、係合受け部が設けられ、
前記当接部には、前記係合受け部に係合することで前記個別鍵を回転可能とする係合部が設けられ、
前記差込み部は前記シリンダ錠の種別毎に異なり、前記鍔部は前記シリンダ錠の種別に関わらず共通であることを特徴とする錠前装置。
【請求項２】
前記共通操作部は、前記当接部の周縁から前記差込み方向に立設される周板部をさらに有し、
前記係合受け部は、前記鍔部の周縁の一部に形成された切欠き部から構成され、
前記係合部は、前記周板部の内面から延出された延出部から構成されていることを特徴とする請求項１に記載の錠前装置。
【請求項３】
前記共通操作部は、前記周板部の外周面の前記延出部に対応する位置に位置合わせ部を有していることを特徴とする請求項２に記載の錠前装置。
【請求項４】
前記位置合わせ部は、前記周板部の外周面に形成された凸部であることを特徴とする請求項３に記載の錠前装置。
【請求項５】
前記係合部と前記係合受け部とのうち一方は、突起から構成され、
前記係合部と前記係合受け部とのうち他方は、前記突起が嵌まる凹部から構成されていることを特徴とする請求項１または２に記載の錠前装置。
【請求項６】
前記鍔部は、前記当接部に対向する中心面部と、該中心面部の周囲を囲う外周面部と、を有し、
前記外周面部は、前記中心面部から離れるにしたがって前記差込み方向に向かうように傾斜して設けられ、
前記係合受け部は、少なくとも前記外周面部に設けられていることを特徴とする請求項１〜５のうち何れか一項に記載の錠前装置。
【請求項７】
前記係合受け部は、前記共通操作部の回転軸に対する径方向または差込み方向に傾斜する傾斜面を有していることを特徴とする請求項１〜６のうち何れか一項に記載の錠前装置。
【請求項８】
前記個別鍵及び前記共通操作部は、磁力により引き合うように構成されていることを特徴とする請求項１〜７のうち何れか一項に記載の錠前装置。
【請求項９】
前記係合受け部が、複数設けられ、
前記係合部が、前記複数の係合受け部に対向する位置に複数設けられていることを特徴とする請求項１〜８のうち何れか一項に記載の錠前装置。
【考案の詳細な説明】
【技術分野】
【０００１】
本考案は、錠前装置に関する。
【背景技術】
【０００２】
従来、スロットマシンやパチンコ等の遊技機にあって、当選確率の設定変更は、設定用シリンダ錠から構成された鍵穴に鍵となる設定キーを挿入し、設定キーを所定方向に回転させることで、当選確率の設定変更を行っていた。なお、設定キーは、遊技場の特定の管理者等が管理しており、遊技者等が設定変更を不当に行うことができないようになっている（特許文献１参照）。
【先行技術文献】
【特許文献】
【０００３】
【特許文献１】特開２００９−１１３５８号公報
【考案の概要】
【考案が解決しようとする課題】
【０００４】
しかしながら、遊技場には複数のメーカにおける複数機種の遊技機が設置されているため、当選確率の設定変更を行う際、設定キーを管理する管理者は、遊技機の種類と同じ数だけある複数本の設定キーの中から所望の１本を探し出す必要があり、使い勝手が悪かった。
【０００５】
本考案の目的は、利便性の向上を図った錠前装置を提供することにある。
【課題を解決するための手段】
【０００６】
上記目的は、以下の本考案によって解決される。即ち、本考案は、シリンダ錠に差し込まれる差込み部を有する個別鍵と、該個別鍵を回転操作可能な共通操作部と、を備え、前記個別鍵は、前記差込み部の差込み方向に交差する面方向に延在する鍔部を有し、前記共通操作部は、前記鍔部に当接する当接部を有し、前記鍔部には、係合受け部が設けられ、前記当接部には、前記係合受け部に係合することで前記個別鍵を回転可能とする係合部が設けられ、前記差込み部は前記シリンダ錠の種別毎に異なり、前記鍔部は前記シリンダ錠の種別に関わらず共通であることを特徴とする錠前装置である。
【０００７】
これによれば、シリンダ錠に個別鍵が差し込まれた状態で、個別鍵の鍔部に設けられた係合受け部に、共通操作部の当接部に設けられた係合部を係合させる。そして、係合受け部及び係合部が係合した状態で、共通操作部により個別鍵は回転操作可能となる。ここで、差込み部はシリンダ錠の種別毎に異なり、鍔部はシリンダ錠の種別に関わらず共通であることにより、１個の共通操作部により複数種の個別鍵を共通して回転操作することが可能となる。
【０００８】
また、本考案においては、共通操作部は、当接部の周縁から前記差込み方向に立設される周板部をさらに有し、係合受け部は、鍔部の周縁の一部に形成された切欠き部から構成され、係合部は、周板部の内面から延出された延出部から構成されていてもよい。
【０００９】
これによれば、係合受け部が切欠き部から構成され、係合部が延出部から構成されている。そして、切欠き部に延出部を係合させることで、共通操作部により個別鍵を回転可能とすることができる。
【００１０】
また、本考案においては、共通操作部は、周板部の外周面の延出部に対応する位置に位置合わせ部を有していてもよい。
【００１１】
これによれば、位置合わせ部が設けられていることにより、延出部の位置が判別し易くなる。
【００１２】
また、本考案においては、位置合わせ部は、周板部の外周面に形成された凸部であってもよい。
【００１３】
これによれば、位置合わせ部が凸部から構成されているので、操作者が凸部の位置を見付け易くなる。
【００１４】
また、本考案においては、前記係合部と前記係合受け部とのうち一方は、突起から構成され、前記係合部と前記係合受け部とのうち他方は、前記突起が嵌まる凹部から構成されていてもよい。
【００１５】
これによれば、突起及び凹部を係合させることで、共通操作部により個別鍵を回転可能とすることができる。
【００１６】
また、本考案においては、鍔部は、当接部に対向する対向面部と、該対向面部の周囲を囲う外周面部と、を有し、外周面部は、対向面部から離れるにしたがって差込み方向に向かうように傾斜して設けられ、係合受け部は、少なくとも外周面部に設けられていることが好ましい。
【００１７】
これによれば、外周面部が、中心面部から離れるにしたがって差込み方向に向かうように傾斜して設けられていることにより、人が手指で外周面部を摘まみ難くする。そして、個別鍵を回転させ難くすることにより、共通操作部以外の器具を用いた不正な解錠の抑制が図られる。
【００１８】
また、本考案においては、係合受け部は、共通操作部の回転軸に対する径方向または差込み方向に傾斜する傾斜面を有していてもよい。
【００１９】
これによれば、傾斜面が設けられていることにより、個別鍵２Ａを回転させ難くする。これにより、共通操作部を用いず、人の手指による不正操作の抑制や、共通操作部以外の器具を用いた不正な解錠の抑制が図られる。
【００２０】
また、個別鍵及び共通操作部は、磁力により引き合うように構成されていてもよい。
【００２１】
これによれば、個別鍵及び共通操作部が磁力により引き合うように構成されていることにより、係合受け部及び係合部を近づけつつ互いに磁着し、落下し難いことで操作性を良好にする。
【００２２】
また、本考案においては、係合部受け部が、複数設けられ、係合部が、複数の係合受け部に対向する位置に複数設けられていてもよい。
【００２３】
これによれば、係合受け部及び係合部が、複数箇所で係合されるから、個別鍵を回転させ易くできる。
【考案の効果】
【００２４】
本考案によれば、１個の共通操作部により複数種の個別鍵を回転操作することができるから、利便性の向上を図ることができる。
【図面の簡単な説明】
【００２５】
【図１】本考案の第１実施形態にかかる錠前装置を示す斜視図である。
【図２】第１実施形態にかかる錠前装置を、図１とは別の角度から見た斜視図である。
【図３】前記錠前装置を構成する個別鍵を示す斜視図である。
【図４】前記個別鍵を示す正面図である。
【図５】前記錠前装置を構成する共通操作部を示す斜視図である。
【図６】前記共通操作部を示す正面図である。
【図７】本考案の第２実施形態にかかる錠前装置を示す斜視図である。
【図８】第２実施形態にかかる錠前装置を、図７とは別の角度から見た斜視図である。
【図９】前記錠前装置を構成する個別鍵を示す斜視図である。
【図１０】前記個別鍵を示す正面図である。
【図１１】図９中のＩ−Ｉ線に沿う断面図である。
【図１２】前記錠前装置を構成する共通操作部を示す斜視図である。
【図１３】前記共通操作部を示す正面図である。
【考案を実施するための形態】
【００２６】
（第１実施形態）
以下、本考案の第１実施形態にかかる錠前装置１Ａを、図１〜６を参照して説明する。錠前装置１Ａは、図１、２に示すように、遊技機に設けられて当選確率の設定変更を行うための不図示の設定用シリンダ錠（シリンダ錠）に差し込まれる個別鍵２Ａ（個別鍵）と、個別鍵２Ａを回転操作可能な共通操作部３Ａ（共通操作部）と、を有して構成されている。このような錠前装置１Ａは、複数種の遊技機が設置された遊技場において、錠前集合体を構成する。錠前集合体は、遊技機の種類と同じ数だけ設けられた複数種の個別鍵２Ａと、複数種の個別鍵２Ａを回転操作可能な１個の共通操作部３Ａと、を有して構成されている。
【００２７】
個別鍵２Ａは、図３、４に示すように、不図示の設定用シリンダ錠（シリンダ錠）に差し込まれて、設定用シリンダ錠を回転させることで、当選確率の設定変更を行うものである。個別鍵２Ａは、設定用シリンダ錠に差し込まれる板状の差込み部２０と、差込み部２０の差込み方向Ｚ（前後方向）の端部に設けられた鍔部２１と、を有して構成されている。差込み部２０は亜鉛合金から構成され、鍔部２１はＳＰＣＣから構成されている。また、共通操作部３Ａの後述する鍔部２１にはネオジウム磁石３００（図５に示す）が埋設されている。
【００２８】
差込み部２０は、図３に示すように、遊技機の種別毎に異なる形状になっている。差込み部２０は、差込み方向Ｚに延びる溝部２０３を有する差込み部本体２０１と、該差込み部本体２０１から延出して設けられた鍵山２０２と、を有して構成されている。
【００２９】
なお、本実施形態では、図１、２に示すように、差込み部２０の長手方向（差込み方向）を前後方向Ｚと記す場合がある。また、前後方向Ｚに直交する上下方向Ｙが差込み部２０の幅方向となり、前後方向Ｚ及び上下方向Ｙに直交する左右方向Ｘが差込み部２０の板厚方向となるように設定用シリンダ錠及び個別鍵２Ａは設置されている。差込み方向（前後方向Ｚ）のうち、差込み部２０において鍔部２１から離れた先端側を「前方Ｚ１」と記し、反対側を「後方Ｚ２」と記す場合がある。
【００３０】
鍔部２１は、図３、４に示すように、前後方向Ｚに直交する面方向に延在する中心面部２１０と、中心面部２１０の周囲を囲う外周面部２１１と、外周面部２１１の周縁の一部に形成されて共通操作部３Ａの後述する延出部３１４に係合する切欠き部２１２（係合受け部）と、を有して構成されている。中心面部２１０は、共通操作部３Ａの後述する当接面３１０に接触可能に構成されている。外周面部２１１は、中心面部２１０から離れるにしたがって前方Ｚ１に向かうように傾斜して設けられている。外周面部２１１は、鍔部２１に共通操作部３Ａの当接面３１０が押し付けられた際に、当接面３１０に当接可能な程度の傾斜に構成されている。なお、本実施形態において、「係合」とは、切欠き部２１２を構成する第１端面２１２Ａ（傾斜面）と、共通操作部３Ａの後述する延出部３１４を構成する第１対向面３１４Ａと、が対向することをいう。
【００３１】
切欠き部２１２は、図４に示すように、個別鍵２Ａの所定の回転方向（以下では、解除方向Ｒと記す場合がある）側に位置する第１端面２１２Ａ（傾斜面）と、第２端面２１２Ｂと、を有している。第１端面２１２Ａは、共通操作部３Ａの延出部３１４が切欠き部２１２に係合した状態で解除方向Ｒに回転した際に、回転方向の力を分散させるように、共通操作部３Ａの回転方向に直交する仮想直交面Ｆに対して傾斜して設けられている。即ち、切欠き部２１２は、共通操作部３Ａの回転軸に対する径方向に傾斜する第１端面２１２Ａ（傾斜面）を有している。このような第１端面２１２Ａが設けられていることにより、個別鍵２Ａを回転させ難くする。これにより、共通操作部３Ａを用いず、人の手指による不正操作の抑制や、共通操作部３Ａ以外の器具を用いた不正な解錠の抑制を図る。
【００３２】
第２端面２１２Ｂは、図４に示すように、第１端面２１２Ａと、鍔部２１の中心を通って上方に延びる仮想線を対称軸とする線対称となるように設けられている。
【００３３】
共通操作部３Ａは、図５、６に示すように、円柱状の支持部３０と、個別鍵２Ａの鍔部２１に当接する当接面３１０（当接部）を有しつつ個別鍵２Ａの鍔部２１を覆う受け皿部３１と、把持部３２と、を有して一体に構成されている。支持部３０の前方Ｚ１には受け皿部３１が連続して設けられ、支持部３０の後方Ｚ２には把持部３２が連続して設けられている。
【００３４】
受け皿部３１は、当接面３１０を有する円盤部３１１と、円盤部３１１の周縁から前方Ｚ１に円筒状に立設された周板部３１２と、を有して構成されている。
【００３５】
円盤部３１１には、個別鍵２Ａの鍔部２１の中心面部２１０に当接可能な当接面３１０（当接部）が設けられている。この当接面３１０の中心を含む部分には、ネオジウム磁石３００が露出した状態で設けられている。
【００３６】
周板部３１２は、円筒状の周板部本体３１３と、周板部本体３１３の内周面から延出されて鍔部２１の切欠き部２１２に係合する延出部３１４（係合部）と、延出部３１４に対応する位置に設けられた位置合わせ部３１５（位置合わせ部）と、を有して構成されている。延出部３１４は、鍔部２１の第１端面２１２Ａに対向する第１対向面３１４Ａと、第２端面２１２Ｂに対向する第２対向面３１４Ｂと、を有している。
【００３７】
位置合わせ部３１５は、周板部３１２の外周面に形成された半円状の突起から構成されている。位置合わせ部３１５が、周板部３１２の外周面において、延出部３１４に対応する位置に設けられている。これにより、延出部３１４を個別鍵２Ａの切欠き部２１２に近付ける際、延出部３１４の位置を操作者が知ることができる。なお、本実施形態では、位置合わせ部３１５は、周板部３１２の外周面から突出して設けられているが、本考案はこれに限定されるものではない。位置合わせ部は、周板部３１２の外周面に形成された凹部であってもよく、周板部３１２の外周面に着色された印部であってもよい。
【００３８】
把持部３２は、長方形板状に形成された把持部本体３２０と、把持部本体３２０と支持部３０との間に設けられた幅狭部３２１と、を有して構成されている。把持部本体３２０は、上下方向Ｙが幅方向であり、前後方向Ｚが長手方向となるように設けられている。把持部本体３２０の幅方向は、位置合わせ部３１５の突出方向と同じ方向になるように設けられている。
【００３９】
このような共通操作部３Ａは、以下の手順で、個別鍵２Ａを回転させて、設定用シリンダ錠（シリンダ錠）の施錠を解除する。個別鍵２Ａは、遊技機に設けられて当選確率の設定変更を行うための設定用シリンダ錠に予め差し込まれている。個別鍵２Ａは、差込み部２０の長手方向が前後方向Ｚに沿い、鍔部２１の中心から見て切欠き部２１２が上方に位置するように設けられている。この状態で操作者は、共通操作部３Ａの把持部３２を把持し、位置合わせ部３１５が上方を向きつつ、当接面３１０が鍔部２１に対向する格好で、共通操作部３Ａを個別鍵２Ａに近付ける。共通操作部３Ａは、ＳＰＣＣから構成された鍔部２１に、ネオジウム磁石３００が磁力により引き寄せられて、個別鍵２Ａの切欠き部２１２及び共通操作部３Ａの延出部３１４が係合する。なお、磁力は、共通操作部３Ａが落下しない程度であればよく、磁力により個別鍵２Ａを回転させる程度である必要はない。
【００４０】
この後、共通操作部３Ａを個別鍵２Ａに対して解除方向Ｒに回転するが、個別鍵２Ａの外周面部２１１は傾斜しているので、切欠き部２１２及び延出部３１４の前後方向Ｚの係合代が、外周面部２１１が中心面部２１０と同一平面上にある場合に比して浅い。このため、共通操作部３Ａを鍔部２１に押し付けて、切欠き部２１２及び延出部３１４の係合代を深くした状態で把持部３２を解除方向Ｒに回転させる。共通操作部３Ａの第１対向面３１４Ａが個別鍵２Ａの第１端面２１２Ａを押圧することで、個別鍵２Ａを解除方向Ｒに回転させる。これにより、遊技機に設置されたシリンダ錠の施錠が解除されて、遊技機の当選確率の設定変更が行われる。
【００４１】
ここで、遊技場にあって、複数種の遊技機が設けられた場合には、複数種の個別鍵２Ａは、遊技機の種別毎に異なる形状となるように形成された差込み部２０と、同一形状の鍔部２１と、を有して構成されている。即ち、錠前装置１Ａが、個別鍵２Ａの切欠き部２１２と、共通操作部３Ａに設けられて切欠き部２１２に係合する延出部３１４と、を有していることにより、１個の共通操作部３Ａで、複数種の個別鍵２Ａの回転操作が可能となる。よって、管理者は、共通操作部３Ａで複数種の個別鍵２Ａを回転操作することができる。これによれば、形状の異なる複数種の個別鍵２Ａと同じ数だけ共通操作部３Ａを管理することがなくなり、１個の共通操作部３Ａで、形状の異なる複数種の個別鍵２Ａを回転操作することができるから、利便性の向上を図ることができる。
【００４２】
また、共通操作部３Ａ（共通操作部）は、当接面３１０（当接部）の周縁から前方（差込み方向）に立設される周板部３１２をさらに有し、係合受け部は、鍔部２１の周縁の一部に形成された切欠き部２１２から構成され、係合部は、周板部３１２の内面から延出された延出部３１４から構成されている。これによれば、切欠き部２１２に延出部３１４を係合させることで、共通操作部３Ａにより個別鍵２Ａを回転可能とすることができる。
【００４３】
また、共通操作部３Ａは、周板部３１２の外周面の延出部３１４に対応する位置に位置合わせ部３１５を有している。これによれば、位置合わせ部３１５が設けられていることにより、延出部３１４の位置が判別し易くすることができ、操作性の向上を図ることができる。
【００４４】
また、位置合わせ部３１５は、周板部３１２の外周面に形成された凸部から構成されている。これによれば、位置合わせ部３１５が凸部から構成されているので、操作者が凸部の位置を見付け易くすることができ、より一層、操作性の向上を図ることができる。
【００４５】
また、鍔部２１は、当接部に対向する当接面３１０と、該当接面３１０の周囲を囲う外周面部２１１と、を有し、外周面部２１１は、当接面３１０から離れるにしたがって差込み方向に向かうように傾斜して設けられ、切欠き部２１２（係合受け部）は、少なくとも外周面部２１１に設けられている。これによれば、外周面部２１１が、中心面部２１０から離れるにしたがって前方Ｚ１（差込み方向）に向かうように傾斜して設けられていることにより、人が手指で外周面部２１１を摘まみ難くする。そして、個別鍵２Ａを回転させ難くすることにより、共通操作部３Ａ以外の器具を用いた不正な解錠の抑制を図ることができる。
【００４６】
また、切欠き部２１２（係合受け部）は、共通操作部３Ａ（共通操作部）の回転軸に対する径方向に傾斜する第１端面２１２Ａ（傾斜面）を有している。これによれば、人の手指による不正操作の抑制や、共通操作部以外の器具を用いた不正な解錠の抑制を図ることができる。
【００４７】
（第２実施形態）
以下、本考案の第２実施形態にかかる錠前装置１Ｂを、図７〜１３を参照して説明する。錠前装置１Ｂは、図７、８に示すように、遊技機に設けられて当選確率の設定変更を行うための設定用シリンダ錠（シリンダ錠）に差し込まれる個別鍵２Ｂ（個別鍵）と、個別鍵２Ｂを回転操作可能な共通操作部３Ｂ（共通操作部）と、を有して構成されている。なお、第１実施形態と同一部分には、同一符号を付して説明を省略する。
【００４８】
個別鍵２Ｂは、図９、１０に示すように、設定用シリンダ錠に差し込まれる板状の差込み部２０と、差込み部２０の前後方向Ｚ（差込み方向）の端部に設けられた鍔部４１と、を有して構成されている。鍔部４１は、前後方向Ｚに直交する面方向ＸＹに延在する中心面部４１０と、中心面部４１０の周囲を囲う外周面部４１１と、外周面部４１１を含む位置に形成されて、共通操作部３Ｂの後述する突起５１４（係合部）に係合する凹部４１２（係合受け部）と、を有して構成されている。
【００４９】
凹部４１２は、図１０に示すように、鍔部４１の中心を通る上下方向Ｙの両端部に一対設けられている。各凹部４１２は、幅方向が上下方向Ｙに沿うとともに、長手方向が左右方向Ｘに沿うような長方形状に形成されている。また、各凹部４１２は、鍔部４１の中心面部４１０と外周面部４１１との境界を跨ぐ位置に設けられている。さらに、凹部４１２は、図１１に示すように、第１内面４１２Ａ及び第２内面４１２Ｂを有している。第１内面４１２Ａ及び第２内面４１２Ｂは、前方Ｚ１に進むにしたがって、左右方向Ｘの内方に傾斜して設けられている。即ち、凹部４１２は、共通操作部３Ｂの差込み方向に傾斜する第１内面４１２Ａ（傾斜面）を有している。このような第１内面４１２Ａが設けられていることにより、人の手指による不正操作の抑制や、共通操作部３Ｂ以外の器具を用いた不正な解錠の抑制が図られる。
【００５０】
共通操作部３Ｂは、図１２、１３に示すように、個別鍵２Ｂの鍔部４１に対向する当接面５１０を有する円柱状の支持部５０と、把持部３２と、を有して一体に構成されている。当接面５１０には、鍔部４１の凹部４１２に係合する突起５１４（係合部）が設けられている。突起５１４は、鍔部４１の第１内面４１２Ａに対向する第１対向面５１４Ａと、第２内面４１２Ｂに対向する第２対向面５１４Ｂと、を有している。
【００５１】
このような共通操作部３Ｂは、以下の手順で、個別鍵２Ｂを回転させて、設定用シリンダ錠（シリンダ錠）の施錠を解除する。まず、共通操作部３Ｂの把持部３２を把持し、当接面５１０が鍔部４１に対向する格好で、共通操作部３Ｂを個別鍵２Ｂに近付けて押し付ける。これにより、個別鍵２Ｂの凹部４１２及び共通操作部３Ｂの突起５１４が係合する。そして、把持部３２を解除方向Ｒに回転させることで、共通操作部３Ｂの第２対向面５１４Ａが個別鍵２Ｂの第１内面４１２Ａを押圧して、個別鍵２Ｂを解除方向Ｒに回転させる。これにより、遊技機に設置されたシリンダ錠の施錠が解除されて、遊技機の当選確率の設定変更が行われる。
【００５２】
上述した実施形態によれば、錠前装置１Ｂが、個別鍵２Ｂ（個別鍵）の凹部４１２（係合受け部）と、共通操作部３Ｂ（共通操作部）に設けられて凹部４１２に嵌まる突起５１４（係合部）と、を有していることにより、１個の共通操作部３Ｂで、複数種の個別鍵２Ｂの回転操作が可能となる。よって、管理者は、共通操作部３Ｂにより複数種の個別鍵２Ｂを回転操作することができる。
【００５３】
なお、上述した第２実施形態では、係合受け部は個別鍵２Ｂの鍔部４１に形成された凹部４１２から構成され、係合部は共通操作部３Ｂの当接面５１０（当接部）に形成された突起５１４から構成されているが、本考案はこれに限定されるものではない。係合受け部は、個別鍵２Ｂの鍔部４１に形成された突起から構成され、係合部は、共通操作部３Ｂの当接部に形成された凹部から構成されていてもよい。このような係合部及び係合受け部によれば、単純な構成で、共通操作部３Ｂにより個別鍵２Ｂを回転させることができる。
【００５４】
また、凹部４１２（係合受け部）は、共通操作部３Ｂ（共通操作部）の前後方向Ｚ（差込み方向）に傾斜する傾斜面を有している。これによれば、人の手指による不正操作の抑制や、共通操作部以外の器具を用いた不正な解錠の抑制を図ることができる。
【００５５】
また、突起５１４（係合部）が、複数設けられ、凹部４１２（係合受け部）が、複数の突起５１４に対向する位置に複数設けられている。これによれば、突起５１４及び凹部４１２が、複数箇所で係合されるから、個別鍵２Ｂ（個別鍵）を回転させ易くできる。
【００５６】
また、突起５１４が、鍔部４１の中心を通る上下方向Ｙ（第１方向）の両端部に一対設けられ、凹部４１２が、一対の突起５１４に対向する位置に一対設けられている。これによれば、個別鍵及び共通操作部は上下の複数箇所で係合されるから、個別鍵２Ｂを回転させ易くできる。上述した実施形態では、突起５１４（係合部）及び凹部４１２（係合受け部）は各一対設けられているが、本考案はこれに限定されるものではない。係合受け部及び係合部は、各３個以上設けられていてもよい。この場合には、係合受け部及び係合部は、回転方向に間隔をあけて並んでいてもよい。
【００５７】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の錠前装置の構成を具備する限り、勿論、本考案の範疇に含まれるものである。
【符号の説明】
【００５８】
１Ａ、１Ｂ        錠前装置
２Ａ、２Ｂ        個別鍵
２０              差込み部
２１、４１        鍔部
２１０、４１０    中心面部
２１１、４１１    外周面部
２１２            切欠き部（係合受け部）
２１２Ａ          第１端面（傾斜面）
３Ａ、３Ｂ        共通操作部
３１０            当接面（当接部）
３１２            周板部
３１４            延出部（係合部）
３１５            位置合わせ部
４１２            凹部（係合受け部）
４１２Ａ          第１内面（傾斜面）
５１４            突起（係合部）
Ｚ                前後方向（差込み方向）
【図１】
0003221805.tif 000003
【図２】
0003221805.tif 000004
【図３】
0003221805.tif 000005
【図４】
0003221805.tif 000006
【図５】
0003221805.tif 000007
【図６】
0003221805.tif 000008
【図７】
0003221805.tif 000009
【図８】
0003221805.tif 000010
【図９】
0003221805.tif 000011
【図１０】
0003221805.tif 000012
【図１１】
0003221805.tif 000013
【図１２】
0003221805.tif 000014
【図１３】
0003221805.tif 000015